(57)【特許請求の範囲】
【請求項１】
フォトマスクブランクの製造方法であって、
露光光に対して透明な石英基板に光学膜を形成する第１のステップと、
前記光学膜に閃光ランプ光を照射する第２のステップとを備え、
前記光学膜への閃光ランプ光の照射は、該閃光ランプ光に対する透過率が異なる領域が形成された石英板を介してなされる、ことを特徴とするフォトマスクブランクの製造方法。
【請求項２】
前記石英板はその表面に遮光性膜を有し、該遮光性膜の厚みは前記透過率が異なる領域に対応して異なる、請求項１に記載のフォトマスクブランクの製造方法。
【請求項３】
前記第２のステップは、第２の石英板の全面に遮光性膜を成膜した後に、該第２の石英板に平面内強度分布を有する閃光光を照射し、該閃光光の照射強度に応じた前記遮光性膜の昇華により透明な石英板上に付着させることにより、該透明な石英板上に前記透過率が異なる領域に対応して厚みが異なる前記遮光性膜を前記石英板上に形成するサブステップを備えている、請求項２に記載のフォトマスクブランクの製造方法。
【請求項４】
前記石英板は、遮光性膜を成膜した基板に、閃光光を照射し、前記遮光性膜の昇華により、透明な石英板上に遮光性膜を付着させたものであることを特徴とする、請求項２記載のフォトマスクブランクの製造方法。
【請求項５】
前記石英板は、前記透過率が異なる領域に対応してその表面の粗さが異なる、請求項１に記載のフォトマスクブランクの製造方法。
【請求項６】
前記閃光ランプ光照射後の前記光学膜の上に１以上の膜を積層する第３のステップをさらに備えている、請求項１〜５の何れか１項に記載のフォトマスクブランクの製造方法。
【請求項７】
前記１以上の膜は、前記光学膜とは別の他の光学膜、機能性膜から選ばれたものである、請求項６に記載のフォトマスクブランクの製造方法。
【請求項８】
前記光学膜がハーフトーン位相シフト膜である、請求項１〜７の何れか１項に記載のフォトマスクブランクの製造方法。
【発明の詳細な説明】
【技術分野】
【０００１】
本発明は、フォトマスクブランクに形成される光学膜の光学特性の面内均一性を高めるための技術に関する。
【０００２】
半導体集積回路の高集積化に伴い、フォトマスクに形成されるパターンもさらなる微細化と高精度化が求められている。これに伴い、フォトリソグラフィ技術に用いられる露光光は、解像度の向上のための短波長化が進行している。具体的には、紫外線光源であるｇ線（波長λ＝４３６ｎｍ）やｉ線（λ＝３６５ｎｍ）から、遠紫外線光源であるＫｒＦ線（λ＝２４８ｎｍ）やＡｒＦ線（λ＝１９３ｎｍ）へと短波長化している。
【０００３】
また、パターンの微細化と高精度化に応えるべく、液浸技術や解像度向上技術（ＲＥＴ：resolution enhancement technology）、さらに、２重露光（ダブルパターニングリソグラフィ）などの技術も応用されている。
【０００４】
ところで、露光光の短波長化に伴って焦点深度（ＤＯＦ）は浅くなるため、パターン転写時のフォーカスエラーが生じ易くなり、製造歩留まりを低下させる原因となる。
【０００５】
このような焦点深度を改善する方法のひとつとして位相シフト法がある。位相シフト法では、位相シフトマスクを用い、相互に隣接するパターンの位相が概ね１８０°異なるようにパターン形成が行われる。位相シフト法では、位相シフト膜が形成された領域を通過した光と位相シフト膜が存在しない領域を通過した光とは、境界部分で干渉し、当該領域において急峻な変化を示す光強度分布が得られ、その結果、像コントラストが向上することとなる。なお、位相シフトマスクには、レベンソン型やハーフトーン型などがある。
【０００６】
ハーフトーン型位相シフトマスクとしては、モリブテンシリサイド酸化物（ＭｏＳｉＯ）、モリブテンシリサイド酸化窒化物（ＭｏＳｉＯＮ）からなる位相シフト膜を有するものなどが提案されている（例えば、特許文献１を参照）。また、クロムを含む位相シフト膜やタンタルを含む位相シフト膜も提案されている（特許文献２及び特許文献３）。
【０００７】
このような位相シフトマスクは、位相シフトマスクブランクを、リソグラフィ法でパターン形成して作製される。例えば、ハーフトーン位相シフトマスクの場合は、透明基板の上にハーフトーン位相シフト膜、遮光膜（Ｃｒ膜など）が順に形成されたフォトマスクブランクが用いられる。
【０００８】
このフォトマスクブランク上にレジストを塗布し、電子線又は紫外線により所望の部分のレジストを感光させた後、これを現像してレジストをパターニングする。そして、パターニングされたレジスト膜をマスクとして用い、遮光膜と位相シフト膜をエッチングにより除去した後、レジスト膜と遮光膜を剥離すると、ハーフトーン位相シフトマスクが得られることになる。
【０００９】
なお、複数の層が積層された構造のデバイスを作製するには、複数枚のフォトマスクが用いられるが、この場合には、高い精度での重ね合わせが必要になる。また、レイアウトを２つ（若しくは２つ以上）のフォトマスクに分割して露光を行う新技術であるダブルパターニングでは、さらに高い精度での重ね合わせが求められている。
【００１０】
しかし、フォトマスクブランクの状態で既に、基板上に形成された薄膜に応力が生じている場合には、パターン形成のためのレジスト塗布、露光、現像、エッチング、レジスト剥離の各工程中に膜応力が部分的に開放され、最終的に得られるフォトマスクそのものに「歪み」を生じさせる。このような歪みがあると、フォトマスクの重ね合わせ精度は低下し不良の原因となる。
【００１１】
このような「歪み」のレベルは、形成されるパターンと膜応力の大きさとに依存し、これをフォトマスクの製造プロセス中に制御することは極めて困難である。
【００１２】
もっとも、各薄膜の応力が概ねゼロとなるような条件で薄膜形成すればこのような問題が生じることはないが、光学膜としての薄膜が備えるべき諸特性を確保するための成膜条件が、同時に、低応力の薄膜を形成するための条件でもあるという製造プロセス条件を見出すことは極めて難しく、事実上不可能である。このため、薄膜の諸特性が確保可能な条件で成膜する工程と、薄膜の低応力化を図る工程とを、独立した別の工程とする必要がある。
【００１３】
一般に、フォトマスクブランクにおいては、位相シフト膜等の薄膜はスパッタリング法により成膜されるが、その成膜プロセスの過程で膜中に応力が生じ、この応力によって基板そのものが歪み、フォトマスクブランクには反りが発生する。この問題の解決方法として、位相シフト膜等の光吸収性の薄膜に閃光ランプからの光を所定のエネルギ密度で照射して膜応力を制御し、これによりフォトマスクブランクの反りを低減するという技術が開示されている（特許文献４）。
【００１４】
閃光がハーフトーン位相シフト膜などの光吸収性の膜に照射されると、その照射光の吸収や急激な温度変化等によって、膜組成や原子の結合状態等が変化し、光学特性が変化するとともに応力緩和が生じると考えられる。
【先行技術文献】
【特許文献】
【００１５】
【特許文献１】特開平７−１４０６３５号公報
【特許文献２】特開平９−２４４２１２号公報
【特許文献３】特開２００１−３１２０４３号公報
【特許文献４】特開２００４−１９９０３５号公報
【特許文献５】特開２００７−１１４６８１号公報
【発明の概要】
【発明が解決しようとする課題】
【００１６】
薄膜の応力緩和のための外部からのエネルギ付与手段としては、ホットプレート、ヒータ、ハロゲンランプ、赤外ランプ、ファーネス、等も考えられるが、これらの手法によると、エネルギ付与による基板温度の上昇によって基板自体に損傷を与えたり、処理時間が長くなってしまうために生産性が低下したりという問題が生じるため、特許文献４にあるような閃光ランプによる光照射が優れている。
【００１７】
ところが、閃光ランプを用いて光照射を行うと、応力は改善されるものの、閃光ランプ照射装置の構造および照射される基板の形状により、基板上に形成した光学膜の外周領域と中央領域の光の吸収量に差が生じ、光学膜の光学特性が面内でばらつくという問題があった。これを改善したものが特許文献５に開示されている技術である。
【００１８】
しかし、２０１1年のＩＴＲＳのリソグラフィに関するロードマップによれば、光学膜特性の面内均一性をより高いものとすることが求められている。
【００１９】
本発明は、このような要求に鑑みてなされたもので、その目的とするところは、フォトマスクの製造に用いられるブランク（フォトマスクブランク）に形成される光学膜、特にハーフトーン位相シフト膜の面内での光学的特性の均一性を、更に高める技術を提供することにある。
【課題を解決するための手段】
【００２０】
上述の課題を解決するために、本発明に係るフォトマスクブランクの製造方法は、露光光に対して透明な石英基板に光学膜を形成する第１のステップと、前記光学膜に閃光ランプ光を照射する第２のステップとを備え、前記光学膜への閃光ランプ光の照射は、該閃光ランプ光に対する透過率が異なる領域が形成された石英板を介してなされる、ことを特徴とする。
【００２１】
例えば、前記石英板はその表面に遮光性膜を有し、該遮光性膜の厚みは前記透過率が異なる領域に対応して異なる。
【００２２】
この場合、前記第２のステップは、第２の石英板の全面に遮光性膜を成膜した後に、該第２の石英板に平面内強度分布を有する閃光光を照射し、該閃光光の照射強度に応じた前記遮光性膜の昇華により透明な石英板上に付着させることにより、該透明な石英板上に前記透過率が異なる領域に対応して厚みが異なる前記遮光性膜を前記石英板上に形成するサブステップを備えている態様としてもよい。
【００２３】
なお、石英板の形成後は、これを用いて、前記光学膜に閃光ランプ光を照射するため、このサブステップは不要である。
【００２４】
また、前記石英板は、遮光性膜を成膜した基板に、閃光光を照射し、前記遮光性膜の昇華により、透明な石英板上に遮光性膜を付着させたものである態様としてもよい。
【００２５】
また、例えば、前記石英板は、前記透過率が異なる領域に対応してその表面の粗さが異なる。
【００２６】
前記閃光ランプ光照射後の前記光学膜の上に１以上の膜を積層する第３のステップをさらに備えている態様とすることもできる。
【００２７】
さらに、前記１以上の膜は、前記光学膜とは別の他の光学膜、機能性膜から選ばれたものである。
【００２８】
前記光学膜は、例えば、ハーフトーン位相シフト膜である。
【００２９】
前記他の光学膜は、例えば、遮光性膜、反射防止膜である。
【００３０】
前記機能性膜は、例えば、エッチングストッパ膜、エッチングマスク膜である。
【００３１】
なお、前記機能性膜は、光学膜としての特性を有してもよく、その場合は、同じ特性を持つ光学膜との兼ね合いによりその特性を調整する必要がある。
【００３２】
本発明に係るフォトマスクブランクは、上述の方法で製造される。
【発明の効果】
【００３３】
本発明により、フォトマスクの製造に用いられるフォトマスクブランクを構成する光学膜の光学特性の面内均一性をより高いものとすることができる。
【図面の簡単な説明】
【００３４】
【図１】本発明で用いられる閃光光照射装置の構成例を説明するための概略図である。
【図２】閃光照射することにより、光学膜の光学特性の面内均一化が図られることを概念的に説明するための図である。
【図３】図１で示した閃光ランプ光の照射系において、透過率が異なる領域を形成していない石英板を用いる場合の閃光光照射装置の構成例を示す図である。
【図４】主面に光学膜が形成された基板の外周縁部の様子を説明するための図である。
【図５】サセプタに設けられた凹部に収容された状態の石英基板の外周縁部の様子を説明するための図である。
【図６】光学膜の過剰な照射を受ける領域を説明するための図である。
【図７】図１に示した石英板に形成される、透過率が異なる領域（透過率調整領域）を例示により説明する図である。
【図８】本発明に係る閃光光照射装置を用い、キセノン閃光ランプからの閃光光を照射処理されたハーフトーン位相シフト膜の透過率と基板中心からの距離（対角線方向）との関係を調べた結果を纏めたグラフである。
【発明を実施するための形態】
【００３５】
以下に、図面を参照して、本発明を実施するための形態について説明する。
【００３６】
図１は、本発明で用いられる閃光光照射装置１００の構成例を説明するための概略図である。
【００３７】
チャンバ５０内には、光学膜２０が主面に形成された石英基板１０が、サセプタ３０上に載置されている。このサセプタ３０は、下方に設けられたヒータ４０により加熱可能である。
【００３８】
ランプハウス９０内には、例えばキセノンランプなどの閃光ランプ６０が収められており、この図に示した例では、２枚の石英板７０ａ、７０ｂを通して閃光光が光学膜２０へと照射される。２枚の石英板７０ａ、７０ｂのうち、石英板７０ｂの表面には、閃光ランプ光に対する透過率が異なる領域（透過率調整領域）８０が形成されている。なお、ランプハウス９０内は密閉されており、周囲からの汚染を防止している。
【００３９】
また、チャンバ５０内は、露光光に対して透明な石英基板１０に形成された光学膜２０に閃光照射処理をする際の雰囲気を最適なものとされる。例えば、大気圧下、窒素雰囲気下、窒素に酸素を制御して加えた雰囲気下、あるいは真空雰囲気下などとされる。
【００４０】
チャンバ５０内が大気圧下や窒素に酸素を制御して加えた雰囲気下にある場合、閃光照射処理時に光学膜２０の表面が酸化され、その結果、光学膜２０の薬品の耐性が向上する。
【００４１】
一方、チャンバ５０内が窒素雰囲気下や真空雰囲気下にある場合には、閃光照射処理時に光学膜２０の表面が酸化されることがなく、その結果、光学膜２０の光学特性を制御し易くなる。
【００４２】
無欠陥のフォトマスクブランクの製造の観点からは、チャンバ５０内が真空雰囲気下にあることが好適である。これは、チャンバ５０内が真空雰囲気下にあると、チャンバ５０内での気体膨張による衝撃が発生せず、チャンバ内５０での、パーティクルの発生や堆積したパーティクルの舞い上がりの心配がないためである。
【００４３】
本発明では、このような構成の閃光光照射装置１００を用いて、光学膜２０に閃光照射を行うが、光学膜２０への閃光ランプ光の照射が、閃光ランプ光に対する透過率が異なる領域８０が形成された石英板７０ｂを介してなされるため、光学膜２０に照射される光量は、面内で分布を有することになる。
【００４４】
光学膜２０に閃光光を照射すると、その光学膜２０の光学特性は受けた照射エネルギに依存して変化するから、成膜後の光学膜が面内で均一ではなく分布をもつ場合に、これを打ち消すような照射エネルギ分布をもたせた閃光を光学膜に照射すれば、光学膜の特性の面内均一性を高めることができる。
【００４５】
図２は、閃光照射することにより、光学膜２０の光学特性の面内均一化が図られることを概念的に説明するための図である。
【００４６】
図２（Ａ）は、光学膜２０の成膜後の光学特性（ここでは、露光光に対する位相シフト量）の分布の様子を概念的に示したもので、光学膜を成膜した後の測定値をマッピングしたもので、左上から右下に向かって位相シフト量が小さくなっている。
【００４７】
閃光光を照射すると位相シフト量が高まる場合、上記光学特性の分布を面内で均一にするには、左上から右下に向かって照射量が大きくなるような条件で閃光を照射してやればよい。
【００４８】
図２（Ｂ）は、そのような条件とした場合の、光学膜２０上での閃光照射量の分布の様子を概念的に示したもので、左上から右下に向かって照射量が大きくなっている。
【００４９】
図２（Ｃ）は、上記条件で、光学膜２０に閃光照射した後の光学特性（位相シフト量）の面内分布の様子を概念的に示したもので、上記条件下での閃光照射により、光学特性の均一性が実現されている。なお、この閃光照射により、光学膜２０内の応力も緩和されている。
【００５０】
本発明はこのようなメカニズムにより、光学膜２０内の応力を緩和するとともに、光学特性の均一性を高めるものである。
【００５１】
つまり、本発明のフォトマスクブランクの製造方法は、露光光に対して透明な石英基板１０に形成された光学膜２０に閃光ランプ光を照射する際に、閃光ランプ光に対する透過率が異なる領域８０が形成された石英板７０ｂを用いる。光学膜２０に照射される閃光は、石英板７０ｂに形成された透過率が異なる領域８０に対応する面内強度分布を有するため、光学膜２０が有する光学特性が面内で均一化される。
【００５２】
一方、成膜後の光学膜の光学特性が均一であっても、当該光学膜の応力緩和のための閃光が、光学膜に対して、実質的に均一なエネルギ強度で照射されない場合には、閃光照射後の光学膜の面内均一性は悪化してしまう。
【００５３】
図３は、図１で示した閃光ランプ光の照射系において、透過率が異なる領域８０を形成していない石英板７０ｃを用いる場合の閃光光照射装置の構成例を示す図である。
【００５４】
石英板７０ａと７０ｃは何れも、全面透明（透過率均一）であるから、光学膜２０に照射される光量は、照射面内で均一となる。
【００５５】
しかし、このような閃光照射を行うと、かえって、光学膜２０の特性の面内均一性を悪化させることがある。
【００５６】
サセプタ３０には凹部が設けられており、石英基板１０はこの凹部内に収容される。
【００５７】
図４は、主面に光学膜２０が形成された基板１０が、合成石英ガラス等の材質から成るサセプタ３０上に載置された状態の基板１０の外周縁部の様子を説明するための図である。この基板１０は、露光に用いられる光に対して透明な基板（透明基板）であって、閃光光の到達波長領域２００ｎｍ〜１１００ｎｍに対しても透明である。その形状は角型であって、石英（例えば、合成石英ガラス）からなり、端部はクラック防止等の理由から面取り部１１を設けている。なお、基板１０は、フッ化カルシウム等の材質からなるものであってもよい。
【００５８】
この図に示した例では、光学膜２０は、基板外端部から距離ａだけ内側の領域の全面に形成されている。また、基板１０の面取り部１１は、外端部から内側に、幅ｂが０．２ｍｍ〜１ｍｍ程度で形成されている。
【００５９】
光学膜２０は、閃光光の到達波長領域２００ｎｍ〜１１００ｎｍに対して半透明であり、フォトマスクとした場合、光学膜２０の透過率は、露光光に対し５〜１５％であるものが適当であり、より好ましくは５〜１０％である。
【００６０】
露光光に対する透過率が１５％より高いと、閃光光により光学膜２０の応力を緩和するために必要な閃光光の照射エネルギが大きくなり、工程が複雑なものとなる。一方、露光光に対する透過率が５％よりも低い場合には、光学膜２０が閃光光を過剰に吸収してしまい、膜そのものの破壊に至るおそれがある。
【００６１】
この光学膜２０は、フォトマスクを構成する膜であって、例えばハーフトーン位相シフト膜である。ハーフトーン位相シフト膜には、アモルファスシリコン膜や、酸素、窒素、炭素等を含有する金属化合物膜等があるが、特に、ケイ素とケイ素以外の金属と、酸素、窒素及び炭素から選ばれる１種又は２種以上とを含有する層を単層又は多層で構成するハーフトーン位相シフト膜はその光学特性制御性に優れる。
【００６２】
図５は、上述のサセプタ３０に設けられた凹部に収容された状態の石英基板１０の外周縁部の様子を説明するための図である。
【００６３】
図５に示すように閃光光（ｈν）が面取り部１１から入射してくると、この光は石英基板１０の裏面で反射し、基板表面に到達する。このような反射光の基板表面への到達位置は石英基板１０の厚みにも依存するが、本発明者らの実験では、６インチ四方の基板で厚さが０．２５インチの場合、基板端部から概ね１６．５ｍｍ程度内側の位置に対応する。このような位置には、光学膜２０が形成されているから、当該位置に形成されている光学膜は裏面から過剰な光照射を受けることとなる。
【００６４】
図５に示すように、サセプタ３０の壁面の深さは、基板１０の主面とサセプタ３０の上面が同じ高さの位置になるように配されている。サセプタ３０の壁面をこれより高くすればチャンバ内で斜めから基板の面取り部に入射してくる光（ｈν）を防止することができるが、光学膜２０の外周に対して直接入射する閃光光をも遮蔽するため、照射後の光学特性分布は十分ではない。
【００６５】
図６は、光学膜の過剰な照射を受ける領域を説明するための図で、図中の点線が、過剰な閃光照射を受ける領域に対応し、基板１０端部近傍領域の照射量が大きくなっている、特に、破線の交点に当たる４隅での照射量は過大なものとなる。
【００６６】
図７は、このような場合に、図１に示した石英板７０ｂに形成される、透過率が異なる領域（透過率調整領域）８０を例示により説明する図である。
【００６７】
石英板７０ｂの表面には透過率の異なる領域８０が形成されており、この領域８０は閃光光の透過率を低下させるため、石英板７０ｂを透過する閃光光の照射エネルギは、光学膜２０の外端部領域で低くなる。
【００６８】
このような照射強度分布の閃光を光学膜に照射することで、実質的に均一な強度の閃光を、光学膜２０に照射することができる。
【００６９】
閃光の適正な照射光量は、光学膜２０の膜組成に依存する。例えば、光学膜２０がモリブデンシリサイド系の位相シフト膜である場合、このハーフトーン位相シフト膜がどの露光光用のフォトマスクとして用いられるかによってその組成は異なる。
【００７０】
一般に、露光光には、ＫｒＦレーザ光、ＡｒＦレーザ光、Ｆ2レーザ光が用いられるが、ハーフトーン位相シフト膜に求められる透過率は、２００ｎｍ〜１１００ｎｍの波長範囲において、ＫｒＦ用、ＡｒＦ用、Ｆ2用の順に高くなる。そして、ハーフトーン位相シフト膜の膜質によって光の吸収効率が異なるため、閃光照射のエネルギも、ＫｒＦ用、ＡｒＦ用、Ｆ2用の順に高くする必要がある。
【００７１】
具体的には、ＫｒＦレーザの波長（２４８ｎｍ）の光に対して５〜７％の透過率を有する位相シフト膜に対しては、閃光照射エネルギは、カロリーメータの測定値で２１．５Ｊ／ｃｍ2以下の所定量とされる。
【００７２】
また、ＡｒＦレーザの波長（１９３ｎｍ）の光に対して５〜７％の透過率を有する位相シフト膜に対しては、閃光照射エネルギは、３２．５Ｊ／ｃｍ2以下の所定量とされる。
【００７３】
さらに、Ｆ2レーザの波長（１５７ｎｍ）の光に対して５〜７％の透過率を有する位相シフト膜に対しては、閃光照射エネルギは、４１．５Ｊ／ｃｍ2以下の所定量とされる。
【００７４】
適正量を超える閃光照射を行ったハーフトーン位相シフト膜をノマルスキ顕微鏡で観察すると、図６に示した破線の交点近傍で、膜の破壊が確認されるため好ましくない。図７に示した例では、このような過剰照射部が生じないように、透過率が異なる領域（透過率調整領域）８０を形成している。
【００７５】
なお、閃光光の照射エネルギを適切に調整することで、光学膜の応力緩和と光学特性の面内均一性の両者を、同時に実現することができる。
【００７６】
上述したような、閃光ランプ光に対する透過率が異なる領域（透過率調整領域）８０が形成された石英板７０ｂは、透明な石英板の表面に、上記透過率調整領域に対応する部分に遮光性膜を適当な厚みで形成するなどの手法で作製し得る。つまり、透明な石英板の表面に遮光性膜を形成し、この遮光性膜の厚みを、上述の透過率が異なる領域に対応して異ならせるようにする。
【００７７】
例えば、図３に示した閃光光照射系において、予め石英基板１０に遮光性膜２０を形成しておき、この遮光性膜２０に閃光光を照射すると、上述したように、石英基板１０の面取り部１１から入射した閃光光が石英基板１０の裏面で反射し、基板表面に到達し、当該位置に形成されている光学膜２０は裏面から過剰な光照射を受けることとなる。そこで、この現象を利用して、過剰な光照射のエネルギで遮光性膜２０を部分的に昇華させ、これをガラス板７０ｃに付着させる。
【００７８】
その際、昇華した遮光性膜成分が石英板７０ｃの表面に適量付着するように、遮光性膜２０の膜厚および閃光光の照射強度を調整する。石英基板１０に形成された遮光性膜２０の膜厚が厚いほど遮光性膜２０の昇華量は多くなり、石英板７０ｃに付着する遮光性膜成分の量は増え、透過率調整領域８０の遮光度が高くなる。
【００７９】
同様に、閃光光の照射エネルギを高く設定すると、遮光性膜２０の昇華量は多くなり、石英板７０ｃに付着する遮光性膜成分の量は増え、透過率調整領域８０の遮光度が高くなる。
【００８０】
つまり、石英板（石英基板）の全面に遮光性膜を成膜した後に、この石英板に平面内強度分布を有する閃光光を照射し、該閃光光の照射強度に応じた遮光性膜の昇華により石英板上に付着させ、この石英板上に透過率が異なる領域に対応して厚みが異なる遮光性膜を形成するのである。
【００８１】
ここで、石英板７０ｃに付着させる遮光性膜成分、すなわち、石英基板１０に形成される遮光性膜２０は、フォトマスクブランクに使用される光学膜、特に、応力緩和のための閃光照射処理が施される光学膜であることが好ましい。
【００８２】
その理由は、上記遮光性膜２０が、フォトマスクブランクに使用する光学膜であれば、光学膜の応力緩和および光学特性均一化のための閃光照射を行う際の、コンタミネーションを生じさせる心配がないためである。
【００８３】
また、閃光ランプ光に対する透過率が異なる領域（透過率調整領域）８０が形成された石英板７０ｂは、透明な石英板の表面に、上記透過率調整領域に対応する部分の表面を粗くするなどの手法でも作製し得る。つまり、透明な石英板の表面の粗さを、サンドブラスト等の手法により、上述の透過率が異なる領域に対応して異ならせるようにする。このような手法であれば、上述のコンタミネーションの影響を心配する必要がない。
【００８４】
なお、光学膜の光学特性の面内均一化を図ることと、光学膜の過剰な照射を受ける領域を緩和することを同時に行なう場合は、それぞれの効果が得られる閃光ランプ光に対する透過率が異なる領域を重ね合わせた石英板を用いればよい。
【００８５】
光学膜２０は、透明基板１０の主面の全面に形成されている必要はない。例えば、光学膜２０の端面が機械的な取り扱いを受ける際の剥落を防止するため、図４に示したように、基板外端部から距離ａまでは成膜されていなくてもよい。
【００８６】
光学膜２０は、例えば、ハーフトーン位相シフト膜である。ハーフトーン位相シフト膜を、ケイ素とケイ素以外の金属と、酸素、窒素及び炭素から選ばれる１種又は２種以上とを含有する層を単層又は多層で含む膜とする場合、上記ケイ素以外の金属としては、Ｗ、Ｍｏ、Ｔｉ、Ｔａ、Ｚｒ、Ｈｆ、Ｎｂ、Ｖ、Ｃｏ、Ｃｒ或いはＮｉ等を例示することができる。特に、閃光光照射後の反りの低減や耐薬品性向上という観点から、Ｍｏを含むもの、あるいはＭｏを主成分としたものが好ましい。
【００８７】
Ｍｏを含むハーフトーン位相シフト膜としては、モリブデンシリサイド酸化物（ＭｏＳｉＯ）、モリブデンシリサイド窒化物（ＭｏＳｉＮ）、モリブデンシリサイド炭化物（ＭｏＳｉＣ）、モリブデンシリサイド酸化窒化物（ＭｏＳｉＯＮ）、モリブデンシリサイド酸化炭化物（ＭｏＳｉＯＣ）又はモリブデンシリサイド酸化窒化炭化物（ＭｏＳｉＯＮＣ）などがある。このようなモリブデンシリサイド系の位相シフト膜は、ターゲットとしてＭｏＳｉ等を用いた反応性スパッタリング法により成膜することができる。
【００８８】
また、成分の異なる２種以上のＭｏＳｉターゲットを同時にスパッタすることにより、組成の異なるハーフトーン位相シフト膜を複数層積層させるようにしてもよい。このような複数層の積層により、光学特性の制御性を向上させることができる。
【００８９】
成分の異なるターゲットとしては、例えば、ＭｏターゲットとＳｉターゲットの組み合わせがある。２種以上のターゲットを用いる場合、必要に応じてこれらのターゲット面積比を変え、積層する各層毎にそれぞれのターゲット電力を調整し、かつ反応性ガスを適宜調整することにより、組成の異なる複数層からなるハーフトーン位相シフト膜を得ることができる。
【００９０】
なお、ハーフトーン位相シフト膜以外の他の光学膜についても、上記と同様の手法で成膜することができることはいうまでもない。
【００９１】
光学膜の応力緩和および光学特性均一化のための閃光照射のエネルギ（照射強度）は、成膜後の光学膜２０の光学特性の面内均一性の程度により、適宜、調整される。成膜後の光学膜２０の光学特性の面内分布が認められる場合には、これを打ち消すような照射強度分布の閃光光を照射し、照射後の光学膜２０の特性の面内分布を小さくする。
【００９２】
一方、成膜後の光学膜２０の光学特性の面内均一性が十分に高い場合には、概ね均一な照射強度分布の閃光光を照射すればよい。
【００９３】
なお、必要に応じ、上述の閃光ランプ光照射後の光学膜２０の上に、これとは別の光学膜（他の光学膜）（遮光膜、反射防止膜、位相シフト膜など）や、機能性膜（エッチングストッパ膜、エッチングマスク膜など）を積層してフォトマスクブランクが製造される。
【００９４】
これらの膜は、用途に応じて組み合わせることが可能である。また、機能性膜は、光学膜の機能を併せ持ってもよい。
【００９５】
このような方法で、本発明に係るフォトマスクブランクが得られる。
【実施例】
【００９６】
先ず、図３に示した閃光光照射系において、一辺が６インチ、厚みが０．２５インチの角型の石英基板１０の主面上に、光学膜２０として、フォトマスクブランクにおいて遮光膜の機能を有するクロム窒化酸化物膜を厚さ５０ｎｍで成膜する。
【００９７】
次いで、石英基板１０上に成膜したクロム窒化酸化物膜２０に、閃光ランプ６０からの閃光光を照射した。このときの照射エネルギは２５．０Ｊ／ｃｍ2である。
【００９８】
この閃光照射により、クロム窒化酸化物膜２０の一部が昇華し、透明な石英板７０ｃに付着した。これを上述の石英板７０ｂとして用いる。
【００９９】
一辺が６インチ、厚みが０．２５インチの角型の石英基板１０の主面上に、光学膜であるＭｏＳｉＯＮからなるハーフトーン型位相シフト膜２０を、反応性ＤＣスパッタリングで膜厚７６０Åとなるまで成膜し、フォトマスクブランク中間体を形成した。なお、このハーフトーン位相シフト膜２０は、ＡｒＦエキシマレーザ（１９３ｎｍ）の露光光に対する位相差が約１８０°で、且つ、透過率は約５％であり、閃光光照射前の面内分布は十分に低いものであった。
【０１００】
図１に示した閃光光照射装置１００を用い、上述のハーフトーン位相シフト膜２０を形成した基板１０をサセプタ３０に載置して８０℃に加熱し、この状態で、石英板７０ａおよび７０ｂを介して、キセノン閃光ランプ光を照射した。
【０１０１】
なお、比較のため、石英板７０ａおよび７０ｃを介してキセノン閃光ランプ光を照射する以外の条件を同じとした試料も作製した。
【０１０２】
図８は、キセノン閃光ランプからの閃光光を照射処理されたハーフトーン位相シフト膜の透過率と基板中心からの距離（対角線方向）との関係を調べた結果を纏めたグラフである。
【０１０３】
この図には、不透明領域が形成されて閃光ランプ光に対する透過率が異なる領域を有する石英板７０ｂを用いた場合の結果（実施例）と、閃光ランプ光に対する透過率が均一（全面が透明）な石英板７０ｃを用いた場合の結果（比較例）を示してある。
【０１０４】
本発明で採用する石英板、すなわち、閃光ランプ光に対する透過率が異なる領域を有する石英板７０ｂを用いた場合は、基板面内での、閃光光照射処理後のハーフトーン位相シフト膜の透過率の最大値と最小値の差は僅かに０．０２％であり、面内での高い均一性を示す。
【０１０５】
これに対して、閃光ランプ光に対する透過率が均一（全面が透明）な石英板７０ｃを用いた場合の透過率の最大値と最小値の差は０．０５％であり、実施例の値の２．５倍となっている。
【０１０６】
つまり、本発明によれば、閃光光照射による光学膜の応力緩和のみならず、光学特性の高い面内均一性も同時に実現される。
【産業上の利用可能性】
【０１０７】
本発明は、フォトマスクブランクを構成する光学膜の特性の面内均一性を高める技術を提供する。
【符号の説明】
【０１０８】
１０  石英基板
１１  面取り部
２０  光学膜
３０  サセプタ
４０  ヒータ
５０  チャンバ
６０  閃光ランプ
７０ａ、７０ｂ、７０ｃ  石英板
８０  透過率調整領域
９０  ランプハウス
１００  閃光照射装置
【図１】
0005868905.tif 000002
【図２】
0005868905.tif 000003
【図３】
0005868905.tif 000004
【図４】
0005868905.tif 000005
【図５】
0005868905.tif 000006
【図６】
0005868905.tif 000007
【図７】
0005868905.tif 000008
【図８】
0005868905.tif 000009